(57)【特許請求の範囲】
【請求項１】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記固定体又は前記開閉体に設置されるベース部材と、
前記ベース部材の底面に設けられた支持部に回転可能に装着される回転部材とを有し、
前記回転部材は、その回転中心と同心状に設けられたピニオンギヤと、同回転中心に対して同心状の円弧面を有する円弧壁又は円筒壁からなるガイド壁部とが設けられており、
前記一対のロッドには、前記ピニオンギヤに噛み合うラックと、該ラックが前記ピニオンギヤに噛み合った状態で前記ガイド壁部に当接可能とされた規制部とが形成されており、
前記ベース部材は、前記規制部に係止して、前記ロッドを、前記ベース部材に対して抜け止め保持する係止部を有していることを特徴とする開閉体のロック装置。
【請求項２】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記固定体又は前記開閉体に設置されるベース部材と、
前記ベース部材の底面に設けられた支持部に回転可能に装着される回転部材とを有し、
前記回転部材は、その回転中心と同心状に設けられたピニオンギヤと、同回転中心に対して同心状の円弧面を有する円弧壁又は円筒壁からなるガイド壁部とが設けられており、
前記一対のロッドには、前記ピニオンギヤに噛み合うラックと、該ラックが前記ピニオンギヤに噛み合った状態で前記ガイド壁部に当接可能とされた規制部とが形成されており、
前記ベース部材には、前記ガイド壁部との間で、前記ロッドを挟持する挟持壁部が設けられており、
該挟持壁部には、前記ロッドに当接して、同ロッドを前記回転部材側へ付勢する弾性片が形成されていることを特徴とする開閉体のロック装置。
【請求項３】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記固定体又は前記開閉体に設置されるベース部材と、
前記ベース部材の底面に設けられた支持部に回転可能に装着される回転部材とを有し、
前記回転部材は、その回転中心と同心状に設けられたピニオンギヤと、同回転中心に対して同心状の円弧面を有する円弧壁又は円筒壁からなるガイド壁部とが設けられており、
前記一対のロッドには、前記ピニオンギヤに噛み合うラックと、該ラックが前記ピニオンギヤに噛み合った状態で前記ガイド壁部に当接可能とされた規制部とが形成されており、
前記ロッドには、前記ロッドの延出方向に延びるリブが形成され、該リブの所定位置には切欠きが形成されており、
前記ベース部材には、前記ラックの所定位置が前記ピニオンギヤとの噛み合い位置になるときに、前記切欠きに整合する挿入壁部が設けられており、該挿入壁部には、前記切欠きに挿入されて前記ラックが前記ピニオンギヤに噛み合った状態で、前記ロッドのスライド時に、前記リブを通過可能とする通過溝が形成されていることを特徴とする開閉体のロック装置。
【請求項４】
前記規制部は、前記ラックに沿って延びる突条をなしており、前記回転部材の回転軸方向から見て、その突出方向先端は、前記ラックの歯先よりも突出されている請求項１〜３のいずれか１つに記載の開閉体のロック装置。
【請求項５】
前記規制部は、前記ラックよりも前記ベース部材の底面から離れた位置に設けられており、
更に、前記ロッドの、前記ベース部材の底面側とは反対側の面には、前記ラックを所定位置で前記ピニオンギヤに噛み合わせるためのマーカーが設けられている請求項１〜４のいずれか１つに記載の開閉体のロック装置。
【発明の詳細な説明】
【技術分野】
【０００１】
本発明は、固定体の開口部に開閉可能に取付けられる開閉体を、閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部と開閉体との間には、開閉体を閉じたときにロックすると共に、開閉体を開くときにはロックを解除できるようにしたロック装置が設けられている。【０００３】
ロック装置としては、固定体又は開閉体に設けたロック部に係脱する一対のロッドを有するものがある。そして、一対のロッドを同期してスライドさせるため、各ロッドにラック溝を設け、これらにピニオンギヤを噛み合わせることにより、一方のロッドをスライドさせると、ピニオンギヤを介して、他方のロッドがスライドする構造がある。【０００４】
従来のこの種の構造として、下記特許文献１には、開口部に対してグローブボックスを閉じた状態にロックするロック手段と、そのロックを解除するロック解除とを備え、前記ロック手段は、一対の係合部材と、該一対の係合部材の基端部に形成されたラックと、両ラックに噛み合うピニオンとを有する構造が記載されている。また、グローブボックスのボックス本体の左右両側壁に、各係合部材の先端側の係合部が挿通されて、同係合部材をスライドガイドする挿通孔がそれぞれ形成されている。
【先行技術文献】
【特許文献】
【０００５】
【特許文献１】特許第４４１２２３４号公報
【発明の概要】
【発明が解決しようとする課題】
【０００６】
上記特許文献１に記載の構造では、ボックス本体の左右両側壁に設けた挿通孔に、係合部材の先端部を挿通させることで、各係合部材をスライドガイドしている。しかしながら、この挿通孔に寸法バラツキや加工不良等が生じると、本来、互いに平行に配置されるべき一対の係合部材の、一方又は両方が傾いてしまうことがあり、係合部材の基端部に設けたラックが、ピニオンギヤに対して、所定の噛み込み量よりも深く噛み合うおそれがあった。こうなると、一対の係合部材が同期してスムーズにスライドしにくくなり、開口部からグローブボックスを開くときや閉じるときの、操作フィーリングが悪化する可能性がある。【０００７】
したがって、本発明の目的は、ピニオンギヤとロッドに設けたラックとの過度の噛み込みを抑制して、ロッドのスライド時の操作フィーリングを維持することができる、開閉体のロック装置を提供することにある。
【課題を解決するための手段】
【０００８】
上記目的を達成するため、本発明は、固定体の開口部に開閉可能に取付けられる開閉体のロック装置であって、前記固定体の開口部又は開閉体のどちらか一方に設けられたロック部と、前記固定体又は前記開閉体のどちらか他方に配置され、前記ロック部に係脱する一対のロッドと、前記固定体又は前記開閉体に設置されるベース部材と、前記ベース部材の底面に設けられた支持部に回転可能に装着される回転部材とを有し、前記回転部材は、その回転中心と同心状に設けられたピニオンギヤと、同回転中心に対して同心状の円弧面を有する円弧壁又は円筒壁からなるガイド壁部とが設けられており、前記一対のロッドには、前記ピニオンギヤに噛み合うラックと、該ラックが前記ピニオンギヤに噛み合った状態で前記ガイド壁部に当接可能とされた規制部とが形成されていることを特徴とする。【０００９】
本発明の開閉体のロック装置においては、前記規制部は、前記ラックに沿って延びる突条をなしており、前記回転部材の回転軸方向から見て、その突出方向先端は、前記ラックの歯先よりも突出されていることが好ましい。【００１０】
本発明の開閉体のロック装置においては、前記ベース部材は、前記規制部に係止して、前記ロッドを、前記ベースに対して抜け止め保持する係止部を有していることが好ましい。【００１１】
本発明の開閉体のロック装置においては、前記ベース部材には、前記ガイド壁部との間で、前記ロッドを挟持する挟持壁部が設けられており、該挟持壁部には、前記ロッドに当接して、同ロッドを前記回転部材側へ付勢する弾性片が形成されていることが好ましい。【００１２】
本発明の開閉体のロック装置においては、前記規制部は、前記ラックよりも前記ベース部材の底面から離れた位置に設けられており、更に、前記ロッドの、前記ベース部材の底面側とは反対側の面には、前記ラックを所定位置で前記ピニオンギヤに噛み合わせるためのマーカーが設けられていることが好ましい。【００１３】
本発明の開閉体のロック装置においては、前記ロッドには、前記ロッドの延出方向に延びるリブが形成され、該リブの所定位置には切欠きが形成されており、前記ベース部材には、前記ラックの所定位置が前記ピニオンギヤとの噛み合い位置になるときに、前記切欠きに整合する挿入壁部が設けられており、該挿入壁部には、前記切欠きに挿入されて前記ラックが前記ピニオンギヤに噛み合った状態で、前記ロッドのスライド時に、前記リブを通過可能とする通過溝が形成されていることが好ましい。
【発明の効果】
【００１４】
本発明によれば、一対のロッドには、回転部材のピニオンギヤに噛み合うラックと、該ラックがピニオンギヤに噛み合った状態で、ガイド壁部に当接可能とされた規制部が形成されているので、ピニオンギヤにラックが噛み合った状態でロッドが回転部材側に押されても、ロッドの規制部が回転部材のガイド壁部に当接して、ピニオンギヤとラックとが過度に近づくことを規制して、ピニオンギヤとラックとの噛み込み過ぎを抑制することができ、ロッドのスライド時の、操作フィーリングを良好に維持することができる。
【図面の簡単な説明】
【００１５】
【図１】本発明に係る開閉体のロック装置の、一実施形態を示す分解斜視図である。
【図２】同ロック装置を構成するロッドの拡大斜視図である。
【図３】同ロック装置において、ベース部材に回転部材を組み付けた状態の斜視図である。
【図４】同ロック装置において、回転部材にロッドを取付ける際の斜視図である。
【図５】同ロック装置の要部拡大平面図である。
【図６】図５において、ラックとピニオンギヤとの噛み合った状態を示す要部拡大平面図である。
【図７】図５のＡ−Ａ矢示線における断面図である。
【図８】同ロック装置において、開閉体を閉じた状態を示す説明図である。
【図９】同ロック装置において、開閉体を開いた状態を示す説明図である。
【図１０】本発明に係る開閉体のロック装置の、他の実施形態を示す分解斜視図である。
【図１１】同ロック装置を構成するロッドの拡大斜視図である。
【図１２】図１０において、ロッドを回転部材に組み付けた状態の斜視図である。
【図１３】図１２のＢ−Ｂ矢示線における断面図である。
【図１４】図１２のＤ−Ｄ矢示線における断面図である。
【図１５】本発明に係る開閉体のロック装置の、更に他の実施形態を示す分解斜視図である。
【図１６】同ロック装置において、回転部材にロッドを組み付けた状態の背面図である。ッドを回転部材に組み付けた状態の斜視図である。
【図１７】図１６のＥ−Ｅ矢示線における断面図である。
【発明を実施するための形態】
【００１６】
以下、図面を参照して、本発明に係る開閉体のロック装置の、一実施形態について説明する。
【００１７】
図８に示すように、この実施形態における開閉体のロック装置１０（以下、「ロック装置１０」という）は、例えば、車両のインストルメントパネルに設けられたグローブボックス等の、固定体１の開口部２に、開閉可能に取付けられる開閉体５を、開閉ロックするために用いられるものである。
【００１８】
なお、開閉体のロック装置としては、例えば、インストルメントパネルの開口部に箱状のグローブボックスが回動可能に取付けられた構造に適用したり（この場合、インストルメントパネルが「固定体」、グローブボックスが「開閉体」をなす）、或いは、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００１９】
図８に示すように、この実施形態では、固定体１の開口部２の内面に、凹状のロック部３，３が設けられている。なお、ロック部は、凹状でなくとも、孔状や、突起状、枠状等であってもよく、また、固定体ではなく、開閉体に設けてもよく、特に限定はされない。
【００２０】
そして、図１及び図８に示すように、この実施形態のロック装置１０は、開閉体５に配置され、ロック部３，３に係脱する一対のロッド２０，２０と、開閉体５に設置されるベース部材４０と、該ベース部材４０に回転可能に装着される回転部材６０と、ロック部３からロッド２０を係脱操作する操作部材８０（図８参照）とを有している。また、回転部材６０を回転付勢して、ロッド２０，２０をロック部３，３側に向けて付勢する、トーションバネからなる付勢バネ７５を有している（図１及び図７参照）。なお、開閉体５の設置面５ａからは一対のボス７，７が突設されており、ベース部材４０がネジ８，８によって締め付け固定されるようになっている。
【００２１】
まず、ロッド２０について説明する。
【００２２】
図８に示すように、この実施形態における各ロッド２０は、両者同一形状であって、その軸方向途中がクランク状に屈曲した形状をなしており、その先端部２１がロック部３に係脱するようになっている。
【００２３】
図１に示すように、各ロッド２０の基部２３は、所定長さで直線状に延びている。そして、図１、図５及び図６に示すように、この基部２３の、回転部材６０側の側面２３ａに、回転部材６０に形成された後述するピニオンギヤ６５に噛み合う、ラック３０と、このラック３０がピニオンギヤ６５に噛み合った状態で、ガイド壁部６３に当接可能とされた規制部３２とが形成されている。
【００２４】
図１及び図２に示すように、この実施形態においては、各ロッド２０の基部２３の側面２３ａであって、ベース部材４０の底面４１ａ側に、ラック３０がロッド２０の延出方向に沿って形成されている。
【００２５】
一方、規制部３２は、ラック３０に沿って所定高さで突出して延びる突条をなしており、図６に示すように、回転部材６０の回転軸方向から見て、その突出方向先端は、前記ラック３０の歯先３０ａよりも突出した形状をなしている。また、図２に示すように、突条をなした規制部３２は、各ロッド２０の基部２３の側面２３ａに対して、ラック３０の歯先３０ａよりも突出すると共に、前記側面２３ａ側において、前記ラック３０よりもベース部材４０の底面４１ａから離れた位置に形成されている（図４及び図７参照）。
【００２６】
そして、突条をなした規制部３２は、ロッド２０のラック３０が回転部材６０のピニオンギヤ６５に噛み合った状態で、ガイド壁部６３の外周に近接配置されて当接可能とされると共に（図５及び図６参照）、ベース部材４０の後述する係止部４６がスライド可能に係止して、ベース部材４０の底面４１ａに対して面直方向にロッド２０を抜け止めするようになっている（図４及び図５参照）。なお、この実施形態における規制部３２は、図５に示すように、回転部材６０のガイド壁部６３に当接した状態となっているが、規制部３２とガイド壁部６３との間に隙間があってもよく、ロッド２０が回転部材６０側に押されたときに、規制部３２が回転部材６０のガイド壁部６３に当接可能となればよい。
【００２７】
また、上記のように、規制部３２は、ラック３０がピニオンギヤ６５に噛み合った状態で、ガイド壁部６３に当接可能とされており、それによってラック３０とピニオンギヤ６５とが過度に近づくことを規制して、ラック３０がピニオンギヤ６５に対して所定量以上噛み合うことを抑制するようになっている。
【００２８】
更に図４及び図５に示すように、各ロッド２０の基部２３の、ラック３０が形成された側面２３ａとは反対側の側面２３ｂであって、ベース部材４０の底面４１ａ寄りの縁部には、ロッド２０の延出方向に沿ってリブ３３が延びている。このリブ３３に、ベース部材４０の後述する弾性片５０が当接して、ベース部材４０の底面４１ａに対して面直方向にロッド２０を抜け止めすると共に、ロッド２０を回転部材６０側へ付勢するようになっている（図５参照）。
【００２９】
また、図２に示すように、各ロッド２０の基部２３の底面（ベース部材４０の底面４１ａ側に向く面）側には、ロッド２０の延出方向に沿って所定深さの凹溝２４が形成されている。
【００３０】
更に、図２及び図７に示すように、前記リブ３３には、ベース部材４０の底面４１ａ側に向けて、突条をなした当接リブ３３ａが突設されている。また、図２に示すように、各ロッド２０のラック３０の、歯先３０ａとは反対側の基部側であって、前記凹溝２４の長手方向一側部周縁からは、ベース部材４０の底面４１ａ側に向けて、突条をなした当接リブ３０ｂが突設されている。図７に示すように、前記当接リブ３３ａは、ベース部材４０の後述する挟持壁部４８の段状部４８ａに当接し、前記当接リブ３０ｂは、回転部材６０の基部６１に当接して、ベース部材４０や回転部材６０に対するロッド２０の接触面積を減少させて、ロッド２０のスライド性能を向上させている。
【００３１】
更に図８に示すように、各ロッド２０の先端部２１寄りの位置には、枠状部２５が形成されている。この枠状部２５内には、開閉体５から突設したガイド突起７ａが入り込んで、ロッド２０のスライド動作がガイドされる。また、一方の枠状部２５内には、操作部材８０の操作片８１（図８参照）が入り込んで、ロッド２０がスライド操作される。
【００３２】
また、図４及び図５に示すように、各ロッド２０の基部２３の、ベース部材４０の底面４１ａ側とは反対側の面２３ｃには、ラック３０を所定位置でピニオンギヤ６５に噛み合わせるための、マーカー２７が設けられている。
【００３３】
なお、以上説明したロッドとしては、例えば、真直ぐに延びる形状にしてもよく、ラック及び規制部を有するものであれば、その形状や構造等は特に限定されない。また、この実施形態のロッド２０は、開閉体側に配置されているが、固定体側に配置されていてもよい。
【００３４】
上記ロッド２０を操作する操作部材８０は、開閉体５の面方向に対して近接離反するように取付けられる構造をなし、一方のロッド２０の枠状部２５内に入り込む操作片８１を有している（図８及び図９参照）。そして、開閉体５の表面に対して操作部材８０を離反させると、操作片８１がロッド２０をスライド操作して、その先端部２１がロック部３から離脱するようになっている（図９参照）。
【００３５】
なお、操作部材８０は、例えば、開閉体や固定体の面方向に沿って回転する回転ノブや回転ハンドル、或いは、面方向に対して押し込むプッシュ式のものとしてもよく、ロック部３からロッド２０を係脱操作可能であれば、その構造は特に限定されない。また、操作部材８０は、固定体側に取付けられていてもよい。
【００３６】
次に、ベース部材４０について説明する。
【００３７】
図１に示すように、このベース部材４０は、前記開閉体５の設置面５ａに設置され、底面４１ａが形成された略円板状の底部４１を有しており、該底部４１の底面４１ａの中心からは、回転部材６０を回転可能に支持する、軸部４３が立設されている。この軸部４３が、本発明における「支持部」をなしている。また、軸部４３は、基部側が先端側よりも拡径しており、その先端外周からは、一対の突起４３ａ，４３ａが突設されており、これらの突起４３ａ、４３ａが、回転部材６０の後述する天井壁６７の表面側に配置されて、回転部材６０をベース部材４０に対して抜け止め保持する（図７参照）。
【００３８】
図３に示すように、底部４１の、周方向に対向する周縁部から、所定幅の立設部４４，４４がそれぞれ立設されており、各立設部４４の立設方向上端部から、ベース部材４０の外径方向に向けて、ネジ孔４５ａを有する取付片４５が延設されている。各取付片４５のネジ孔４５ａに挿通されたネジ８を、前記ボス７に締め付け固定することで、開閉体５にベース部材４０が固定される（図１参照）。
【００３９】
また、各立設部４４の上端であって、その幅方向両側には一対の係止部４６，４６が設けられている。図３に示すように、この係止部４６は、立設部４４の上端縁部から立ち上がると共に、下方側に向けて斜め外方に折り返された形状をなしており、その下端部に設けた係止面４６ａが、各ロッド２０の突条をなした規制部３２に係止して、ロッド２０の抜け止めを図るようになっている（図４参照）。
【００４０】
更に図３に示すように、各立設部４４の内面側（ベース部材４０の内径方向側）に、回転部材６０の基部６１の外周縁部上方に配置される、抜け止め突部４７が突設されており、ベース部材４０に対して回転部材６０が抜け止め保持される（図４参照）。
【００４１】
また、図３に示すように、底部４１の、周方向に対向する周縁部であって、前記一対の立設部４４，４４に直交する位置からは、回転部材６０のガイド壁部６３との間で、ロッド２０を挟持する、略コ字枠状をなした一対の挟持壁部４８，４８が立設されている。各挟持壁部４８の上部内周からは、撓み可能な弾性片５０が下方側に向けてそれぞれ延設されており（図３参照）、図５及び図７に示すように、回転部材６０のガイド壁部６３との間で、各ロッド２０を挟持した状態で、弾性片５０の下端側の当接面５０ａが、各ロッド２０のリブ３３に当接して、同ロッド２０を回転部材６０側へ付勢するようになっている。
【００４２】
また、本発明におけるベース部材は、固定体又は開閉体に設置されると規定されているが、ベース部材が固定体又は開閉体の設置面上に当接して設置される場合や、ベース部材が設置面に当接せず、所定隙間を介して離間して設置された場合、更に、ベース部材の底面が、設置面とは反対側に向いて設置された場合も含むものであり、ベース部材が設置面に対して動かないように固定された状態で設置されることを意味している。
【００４３】
次に、回転部材６０について説明する。
【００４４】
この実施形態における回転部材６０は、略円板状をなした基部６１を有している。そして、図３及び図５に示すように、この基部６１の表面側中央部から、回転部材６０の回転中心Ｃ（図５参照）と同心状の円弧面を有する、円筒壁からなるガイド壁部６３が所定高さで突設されている。また、図３に示すように、ベース部材４０の底面４１ａに対して面直方向から見たときに、ベース部材４０の各挟持壁部４８と、回転部材６０のガイド壁部６３とが、ロッド２０を受け入れ可能な隙間を介して、互いに対向して配置されている。
【００４５】
更に、ガイド壁部６３の突出方向基端側（基部６１の表面側の端部側）の外周に、回転部材６０の回転中心Ｃと同心状をなすように、各ロッド２０のラック３０に噛み合うピニオンギヤ６５が設けられている（図３及び図５参照）。
【００４６】
前記ガイド壁部６３は、回転部材６０の回転時に、各ロッド２０の規制部３２に当接して、各ロッド２０をスライドガイドすると共に、各ロッド２０のラック３０とピニオンギヤ６５とが過度に近づくことを規制する。なお、ガイド壁部としては、一対の円弧状の円弧壁を有するものや、断続して設けられた複数の円弧状の円弧壁を有するものであってもよく、円弧面を有しロッド２０の規制部３２に当接可能であればよい。
【００４７】
上記ガイド壁部６３の上方側内周には天井壁６７が形成されており、該天井壁６７の中央には、溝６８ａ，６８ａを有する軸孔６８が形成されている。これらの溝６８ａ，６８ａにベース部材４０の軸部４３の突起４３ａ，４３ａを整合させて、軸孔６８に軸部４３を挿通し、回転部材６０を回転させることで、ベース部材４０に対して回転部材６０が回転可能に支持され且つ抜け止め状態で装着される。なお、ベース部材に対して回転部材を回転支持させる構造としては、例えば、軸部を回転部材側に設け、軸孔をベース部材側に設けてもよく、特に限定はない。
【００４８】
更に図３に示すように、ガイド壁部６３の周方向に対向する外周面であって、前記ピニオンギヤ６５よりも突出方向先端側には、ガイド壁部６３の突出方向に延びる回転規制突部７０，７０が設けられている。これらの回転規制突部７０，７０は、回転部材６０が所定の回転角度以上に回転した場合に、各ロッド２０の規制部３２に当接して、回転部材６０の回転規制を図る（図５参照）。
【００４９】
なお、上記回転部材６０は、一端がベース部材４０に係止され、他端が回転部材６０に係止された付勢バネ７５によって、図８の矢印Ｆ方向に回転付勢されており、これによって、回転部材６０に噛み合って連結された一対のロッド２０，２０が、一対のロック部３，３に係合する方向に付勢されている。また、一対のロッド２０，２０は同期してスライド動作するようになっており、一方のロッド２０がスライドした場合には、それに連動して他方のロッド２０もスライドする。
【００５０】
次に、上記構成からなるロック装置１０の作用効果について説明する。
【００５１】
すなわち、図４に示すように、ベース部材４０に回転部材６０が回転可能に且つ抜け止めされて装着された状態で、ロッド２０の基部２３の底面側をベース部材４０の底面４１ａ側に配置し、ロッド２０の規制部３２をベース部材４０の係止部４６側に配置し、ロッド２０のリブ３３をベース部材４０の弾性片５０側に配置して、ロッド２０の基部２３を、ベース部材４０の底面４１ａに対して面直方向から、ベース部材４０の挟持壁部４８と回転部材６０のガイド壁部６３との隙間に押し込んでいく。この実施形態では、図４に示すように、各ロッド２０に設けたマーカー２７を目印にして、各ロッド２０を押し込んでいく。
【００５２】
すると、ロッド２０の一側面２３ａ側の規制部３２によって、ベース部材４０の立設部４４の係止部４６が押圧されて撓んでいくと共に、ロッド２０の他側面２３ｂ側のリブ３３によって、ベース部材４０の挟持壁部４８の弾性片５０が押圧されて撓んでいく。そして、係止部４６の頂部（最も外方に出っ張る部分）が規制部３２を乗り越えると、係止部４６が弾性復帰して、その係止面４６ａが規制部３２に係止し、弾性片５０の頂部がリブ３３を乗り越えると、弾性片５０が弾性復帰して、その当接面５０ａ（図３参照）がリブ３３に当接して、ロッド２０を回転部材６０側へ付勢されると共に、ロッド２０のラック３０と回転部材６０のピニオンギヤ６５とが噛み合って、ベース部材４０の底面４１ａ側からロッド２０が抜け止めされた状態で、回転部材６０に一対のロッド２０，２０を連結させることができる（図５〜７参照）。
【００５３】
このとき、この実施形態においては、ロッド２０の、ベース部材４０の底面４１ａ側とは反対側の面に、ラック３０を所定位置で回転部材６０のピニオンギヤ６５に噛み合わせるためのマーカー２７が設けられているので、このマーカー２７を目印にして、各ロッド２０のラック３０をピニオンギヤ６５に噛み合わせることによって、各ロッド２０とそれに対向するロック部３との距離が均等になるように取付けることが容易になる。
【００５４】
そして、このロック装置１０においては、一対のロッド２０，２０の側面２３ａ，２３ａには、回転部材６０のピニオンギヤ６５に噛み合うラック３０と、該ラック３０がピニオンギヤ６５に噛み合った状態で（図６参照）、図５に示すように、回転部材６０のガイド壁部６３に当接可能とされている。そのため、そのため、図５の矢印に示すように、ピニオンギヤ６５にラック３０が噛み合った状態でロッド２０が回転部材６０側に押されても、ロッド２０の規制部３２が回転部材６０のガイド壁部６３に当接して、ピニオンギヤ６５とラック３０とが過度に近づくことを規制するので、ピニオンギヤ６５とラック３０との噛み込み過ぎ（ピニオンギヤ６５とラック３０とが所定量以上噛み合うこと）を抑制することができ、ロッド２０のスライド時の、操作フィーリングを良好に維持することができる。
【００５５】
また、この実施形態においては、図２及び図６に示すように、ロッド２０の規制部３２は、ラック３０に沿って所定高さで突出して延びる突条をなしており、図６に示すように、回転部材６０の回転軸方向から見て、その突出方向先端は、前記ラック３０の歯先３０ａよりも突出した形状をなしている。そのため、ロッド２０のスライド時に、ロッド２０が回転部材６０側に押されても、規制部３２を回転部材６０のガイド壁部６３に確実に当接可能とすることができ、ピニオンギヤ６５とラック３０との噛み込み過ぎを、より確実に抑制することができ、また、突条をなした規制部３２とガイド壁部６３とによって、ロッド２０のスライドをより安定してガイドすることができる。
【００５６】
更に、この実施形態においては、図４及び図７に示すように、ベース部材４０は、ロッド２０の規制部３２に係止して、ロッド２０をベース部材４０に対して抜け止め保持する係止部４６を有している。そのため、ベース部材４０に装着される回転部材６０に、一対のロッド２０，２０を組付けるだけの操作で、ロッド２０の規制部３２にベース部材４０の係止部４６が係止して、一対のロッド２０，２０を抜け止め保持することができ、一つのベース部材４０によって、回転部材６０を回転可能に装着できると共に、一対のロッド２０，２０も抜け止め保持することができ、ロック装置全体をコンパクトで簡単な構造とすることができる。
【００５７】
また、この実施形態においては、図４、図５及び図７に示すように、各ロッド２０は、回転部材６０のガイド壁部６３と挟持壁部４８との間で挟持されると共に、挟持壁部４８に形成された弾性片５０によって各ロッド２０が回転部材６０側へ付勢されるので（図７の矢印参照）、各ロッド２０のラック３０と回転部材６０のピニオンギヤ６５とを確実に噛み合わせて、ガタ付きによる異音の発生を抑制することができる。なお、ロッド２０が回転部材６０側へ付勢されても、規制部３２によって、ラック３０とピニオンギヤ６５とが過度に近づくことが規制されるので、ラック３０とピニオンギヤ６５との噛み込み過ぎを抑制できる。
【００５８】
なお、このロック装置１０においては、固定体１の開口部２に対して開閉体５を閉じて、一対のロッド２０，２０の先端部２１，２１が、固定体１側の一対のロック部３，３に係合することで、開閉体５が閉じた状態にロックされる（図８参照）。この状態から操作部材８０を操作して、操作片８１を介して一方のロッド２０が開閉体５の内方に引き込まれると、回転部材６０を介して他方のロッド２０も開閉体５の内方に引き込まれて、一対のロッド２０，２０の先端部２１，２１と、一対のロック部３，３との係合が解除されて、固定体１の開口部２から開閉体５を開くことができる（図９参照）。
【００５９】
図１０〜１４には、本発明に係る開閉体のロック装置の、他の実施形態が示されている。なお、前記実施形態と実質的に同一部分には同符号を付してその説明を省略する。
【００６０】
図１０に示すように、この実施形態の開閉体のロック装置１０Ａ（以下、「ロック装置１０Ａ」）は、主として、ベース部材４０Ａや、回転部材６０Ａ、一対のロッド２０Ａ，２０Ｂの形状が、前記実施形態と異なっている。
【００６１】
図１０に示すように、この実施形態におけるベース部材４０Ａは、横長箱状をなしており、その正面側の長手方向一端側に、操作部材８０Ａの一端部が近接離反可能に装着されている。また、図１３に示すように、ベース部材４０Ａの一端部側とと操作部材８０Ａの一端部側との間には、コイルバネである付勢バネ７７が配置されており、操作部材８０Ａの他端部をベース部材４０Ａ側に近接する方向に付勢している。また、ベース部材４０Ａの底部４１の長手方向他端側の対向した位置からは、一対のガイド軸部５１，５１が突設されており、各ガイド軸部５１の先端部外側には、撓み可能な係止爪５２が設けられている。
【００６２】
更に図１３に示すように、回転部材６０Ａは、その基部６１の裏面側から支軸６２が突設されており、該支軸６２がベース部材４０Ａの底面に設けられた軸受孔４９に挿通されて、ベース部材４０Ａに回転部材６０Ａが回転可能に支持されている。すなわち、この軸受孔４９が、本発明における「支持部」をなしている。更に、回転部材６０Ａの裏面側には受け部７２が突設されており、該受け部７２が、操作部材８０Ａの一端部裏面から突設した操作片８１に押圧されることで、回転部材６０Ａが付勢バネ７５の付勢力に抗して回転するようになっている。
【００６３】
更に、回転部材６０Ａに装着される一対のロッド２０Ａ，２０Ｂは、ロッド２０Ａが短く、ロッド２０Ｂがロッド２０Ａよりも長く形成されている。そして、図１１（ｂ）や図１３に示すように、各ロッド２０Ａ，２０Ｂの基部２３の、ベース部材４０Ａ側の底面側であって、回転部材６０Ａ側の側面２３ａに、ラック３０がロッド延出方向に沿って形成されている。また、ラック３０の歯先３０ａは、各ロッド２０Ａ，２０Ｂの前記側面２３ａよりも、ロッド内方に引っ込むように形成されている。すなわち、各ロッド２０Ａ，２０Ｂの基部２３側における側面２３ａが、ラック３０の歯先３０ａよりも出っ張った形状をなし、この出っ張り部分が本発明における規制部３２Ａをなしている。言い換えると、規制部３２Ａは、ラック３０に沿って所定高さで突出して延びる突条をなし、回転部材６０Ａの回転軸方向から見て、その突出方向先端が、ラック３０の歯先３０ａよりも突出した形状となっている。
【００６４】
更に、ロッド２０Ａ，２０Ｂの基部２３であって、前記ラック３０及び規制部３２Ａに隣接した位置には、長孔状をなした貫通孔３５がロッドの軸方向に沿ってそれぞれ形成されており、各貫通孔３５にベース部材４０Ａの各ガイド軸部５１が挿通され、ロッド２０Ａ，２０Ｂのスライド動作がガイドされる。また、図１１（ｂ）や図１２に示すように、各貫通孔３５のロッド底面側であって、回転部材６０Ａとは反対側の内側縁部には、貫通孔３５の長手方向に沿ってリブ３６が延設されており、該リブ３６に、前記ガイド軸部５１に設けた係止爪５２が係止して（図１４参照）、ベース部材４０Ａに対して一対のロッド２０Ａ，２０Ｂが抜け止め保持されるようになっている。
【００６５】
この実施形態のロック装置１０Ａでは、マーカー２７を目印にして、ロッド２０Ａ，２０Ｂのラック３０，３０を回転部材６０Ａのピニオンギヤ６５に噛み合わせて連結させた状態で、図１３に示すように、規制部３２Ａが回転部材６０Ａのガイド壁部６３に当接可能とされているので、ロッド２０Ａ，２０Ｂが回転部材６０Ａ側に押されても、規制部３２Ａが回転部材６０Ａのガイド壁部６３に当接して、ピニオンギヤ６５とラック３０との噛み込み過ぎを抑制することができ、ロッド２０Ａ，２０Ｂのスライド時の、操作フィーリングを良好に維持することができる。
【００６６】
図１５〜１７には、本発明に係る開閉体のロック装置の、更に他の実施形態が示されている。なお、前記実施形態と実質的に同一部分には同符号を付してその説明を省略する。
【００６７】
図１５に示すように、この実施形態の開閉体のロック装置１０Ｂ（以下、「ロック装置１０Ｂ」）は、ロッド２０Ａ，２０Ｂの組付け時における目印となる構造が、図１０〜１４に示す構造と異なっている。
【００６８】
すなわち、図１５及び図１６に示すように、各ロッド２０Ａ，２０Ｂに形成されたリブ３６の所定位置に、切欠き３７がそれぞれ形成されている。また、ベース部材４０Ａに突設された一対のガイド軸部５１，５１の、互いに離れた外面側には、ロッド２０Ａ，２０Ｂのラック３０の所定位置が、回転部材６０Ａのピニオンギヤ６５との噛み合い位置になるときに、各ロッド２０Ａ，２０Ｂのリブ３６の切欠き３７に整合する挿入壁部５３がそれぞれ設けられている（図１５及び図１６参照）。更に図１５及び図１７に示すように、各挿入壁部５３には、ロッド２０Ａ，２０Ｂのリブ３６の切欠き３７に挿入されて、ラック３０がピニオンギヤ６５に噛み合った状態で、各ロッド２０Ａ，２０Ｂのスライド時に、リブ３６を通過可能とする通過溝５４がそれぞれ形成されている。
【００６９】
この実施形態のロック装置１０Ｂによれば、回転部材６０Ａに一対のロッド２０Ａ，２０Ｂを組付ける際には、ロッド２０Ａ，２０Ｂに形成したリブ３６の切欠き３７を、ベース部材４０Ａの挿入壁部５３，５３に整合させて、ロッド２０Ａ，２０Ｂをベース部材４０Ａ側に向けて押し付けることで、ロッド２０Ａ，２０Ｂのラック３０を所定位置でピニオンギヤ６５にしっかりと噛み合わせることができると共に、各挿入壁部５３には、ロッドスライド時に、ロッド２０Ａ，２０Ｂのリブ３６を通過可能とする通過溝５４が形成されているため、ロッド２０Ａ，２０Ｂのスライド動作にも支障がない。
【００７０】
なお、本発明は、上述した実施形態に限定されるものではなく、本発明の要旨の範囲内で、各種の変形実施形態が可能であり、そのような実施形態も本発明の範囲に含まれる。
【符号の説明】
【００７１】
１  固定体
２  開口部
３  ロック部
５  開閉体
１０，１０Ａ，１０Ｂ  開閉体のロック装置（ロック装置）
２０，２０Ａ，２０Ｂ  ロッド
２３ａ  側面
２７  マーカー
３０  ラック
３０ａ  歯先
３２，３２Ａ  規制部
３６  リブ
４０，４０Ａ  ベース部材
４６  係止部
４８  挟持壁部
５０  弾性片
５３  挿入壁部
５４  通過溝
６０，６０Ａ  回転部材
６３  ガイド壁部
６５  ピニオンギヤ
７５   付勢バネ
８０，８０Ａ  操作部材
【図１】
0006573292.tif 000002
【図２】
0006573292.tif 000003
【図３】
0006573292.tif 000004
【図４】
0006573292.tif 000005
【図５】
0006573292.tif 000006
【図６】
0006573292.tif 000007
【図７】
0006573292.tif 000008
【図８】
0006573292.tif 000009
【図９】
0006573292.tif 000010
【図１０】
0006573292.tif 000011
【図１１】
0006573292.tif 000012
【図１２】
0006573292.tif 000013
【図１３】
0006573292.tif 000014
【図１４】
0006573292.tif 000015
【図１５】
0006573292.tif 000016
【図１６】
0006573292.tif 000017
【図１７】
0006573292.tif 000018